(57)【要約】      （修正有）【課題】１台のモータで左右の扉を開閉するようにした両開き仮設ゲートを提供する。【解決手段】左右の扉ごとに一対のプーリ１２Ｌ，１３Ｌと同１２Ｒ，１３Ｒがそれぞれチェーン１４Ｌ、１４Ｒを掛け回して梁部材に配置されている両開き仮設ゲートであって、閉じた状態の左右の扉の突合せ側において隣り合う２つのプーリ１３Ｌと１２Ｒの回転軸に互いに噛合う歯車ＧＬとＧＲを設けて２つの歯車の回転を同速度で逆方向となるようにし、且つ反対側にある２つのプーリ１２Ｌと１３Ｒのいずれか一方のプーリにモータＭＬの回転力を入力するように形成した。【選択図】図１
0003220376.tif 000002
【実用新案登録請求の範囲】
【請求項１】
両開き仮設ゲートの左右の扉を開閉自在に吊下支持する仮設ゲートの梁部材と、前記左右の扉を開閉するため前記左右の扉が夫々に結合されるチェーン等の索条を掛け回した前記左右の扉ごとの一対のプーリを前記梁部材に備える両開き仮設ゲートであって、閉じた状態の前記左右の扉の突合せ側において隣り合う２つのプーリの回転軸に互いに噛合う歯車を設けて前記2つのプーリの回転を同速度で逆方向となるようにし、且つ前記隣り合う2つのプーリの反対側にある２つのプーリのいずれか一方のプーリにモータの回転力を入力するように形成したことを特徴とする両開き仮設ゲート。
【請求項２】
前記隣り合う2つのプーリの回転軸に設ける歯車は、直接噛合うか、又は中間歯車を介して噛合う歯車である請求項１の両開き仮設ゲート。
【考案の詳細な説明】
【技術分野】
【０００１】
本考案は工事現場などに設置される工事用仮囲いに付設される両開き仮設ゲートに関する。
【背景技術】
【０００２】
広い工事面積の現場の仮囲いに設けられる仮設ゲートには開口幅が１０ｍ〜２０ｍに達する大型ゲートがあるが、広い開口幅に対応するため大型の仮設ゲートは、蛇腹タイプ（又はアコーディオンタイプ）の2枚の折戸（左右の扉）をゲート開口幅の略中心から左右方向に開閉する両開き構造のものが多い。
【０００３】
また、大型の両開き仮設ゲートは、扉の重量も大きいので左右の扉の開閉動作のためにモータとチェーン（又はワイヤ）などの索条を用いた開閉機構を、左右の扉に連繋させて各々に設置している。
【０００４】
現在の両開きタイプの大型の仮設ゲートは、左右の扉の各々にモータを駆動源とする開閉機構を設けているため、２台のモータを用いることが不可欠であるが、
１台のモータで左右の扉を開閉する機構にすれば、使用モータが１台で済むため、この点で仮設ゲートの製造コスト減に寄与すると共に、開閉機構の構造も簡素化できる。しかし、後述の特許文献による先行技術においては、１台のモータで左右の両開き扉を開閉するようにした仮設ゲートは見当たらない。
【先行技術文献】
【特許文献】
【０００５】
【特許文献１】特開平７−８２９５３号公報
【特許文献２】実開平５−６０９７９号公報
【考案の概要】
【考案が解決しようとする課題】
【０００６】
本考案は、２台のモータで左右の扉を開閉するようにした大型の両開き仮設ゲートに対し、１台のモータで左右の扉を開閉するようにした両開き仮設ゲートを提供することを、課題とする。
【課題を解決するための手段】
【０００７】
上記課題を解決することを目的としてなされた本考案仮設ゲートの構成は、両開き仮設ゲートの左右の扉を開閉自在に吊下支持する仮設ゲートの梁部材と、前記左右の扉を開閉するため前記左右の扉が夫々に結合されるチェーン等の索条を掛け回した前記左右の扉ごとの一対のプーリを前記梁部材に備える両開き仮設ゲートであって、閉じた状態の前記左右の扉の突合せ側において隣り合う２つのプーリの回転軸に互いに噛合う歯車を設けて前記の隣り合う2つのプーリの回転を同速度で逆方向となるようにし、且つ前記隣り合う2つのプーリの反対側にある２つのプーリのいずれか一方のプーリにモータの回転力を入力するように形成したことを特徴とする。
【０００８】
本考案において、左右の扉は、蛇腹式やアコーディオン式等と称される、平面から見てジグザグ状に縮小したり、略直線状に伸長される折戸式の扉である。
【０００９】
両開き仮設ゲートの梁部材は、ゲートの開口部の左右両端に設置される支柱、又は支柱として機能するように配置された単管等で形成される支柱部（以下、前記支柱又は支柱部を単に支柱部という。）に仮設され、該支柱部と梁部材で略門型のゲートフレームを形成している。
【００１０】
前記梁部材は、例えば断面略逆Ｕ状で、下部の水平部がなす平面レール状の走行面に吊車を走行自在に載架支持する。平面レール状の走行面を有するレール部材を前記梁部材の下面側に備えた梁部材もある。吊車は、一例として双輪タイプで双輪軸の中間部から垂下した部材を吊杆とし、該吊杆の下端部に前記扉の上端部が吊り材を介して、又は介さずに結合され前記左右の扉の開閉に伴う伸縮動作をガイドする。
【００１１】
前記梁部材には、吊車に吊下された扉を伸縮させる開閉動作、即ち吊車の梁部材における走行面での移動をさせるために、次の構成を備える。すなわち、閉じた状態の左右の扉における左右の側端部に見合う位置の梁部材に、左右の扉の夫々の扉に対して一対のプーリが設けられ、各一対のプーリにチェーンやワイヤロープなどによる索条が掛け回されていると共に、前記索条に、左右の扉の閉扉時の突合せ端の近傍部分が結合されている。
【００１２】
上記索条に結合された左右の扉は、索条との結合部分が、例えば、左側の扉では左方向に移動すると共に、右側の扉では右方向に移動すると、左右の扉は折畳み縮小されて開扉動作をする。この開扉動作エンドがゲート全開状態である。
【００１３】
一方、扉と索条との結合部分が、全開状態の位置から上記とは逆方向に移動する、即ち、左側の扉では右方向に、右側の扉では左方向に夫々移動すると、左右の扉は、折畳み縮小状態から伸長される閉扉動作をする。この閉扉動作エンドがゲート全閉状態である。
【００１４】
従来の両開き仮設ゲートでは、左右の扉に対して夫々に設けた索条を掛け回した一対のプーリにおいて、左右の支柱部に近いプーリにモータの回転力を入力する構造が採られていた。即ち、左右の扉ごとに開閉駆動源として2台のモータが設置されていた。
【００１５】
本考案は、左右の扉の開閉を１台のモータで実行できるようにしたものである。このため、本考案では、左右の扉における夫々に一対のプーリにおいて、閉扉時の扉の突合せ側に隣り合って存在する２つのプーリの回転軸に、互いに噛合する伝動歯車を設けて、一方のプーリの正方向の回転を他方のプーリの逆方向の回転に変換することにより、１台のモータで左右いずれか一方の扉の一対のプーリに正回転の駆動力を入力すると、前記伝動歯車の作用で他方の扉の一対のプーリは逆方向の回転が伝動されることになり、この結果、１台のモータで左右の扉の対称的形態での開閉動作を賄うことができる。
【００１６】
上記例は、閉扉時の扉の突合せ側の隣り合う2つのプーリの回転を互いに逆方向にするため、前記２つのプーリの軸に互いに噛合う歯車を設けて、ダイレクトに回転を逆方向に変換した例である。本考案では、使用する噛合う歯車の外径を小さくするため、両歯車の間に互いに噛合う２つの歯車を中間歯車として配置した歯車列により隣り合う2つのプーリの回転方向を互いに逆方向にすることもできる。
【００１７】
本考案において、左右の扉を開閉するために夫々に設けた一対のプーリのどのプーリに１台のモータの駆動力（回転力）を伝動するようにするかは、任意であるが、好ましくは支柱部に近い側に存在するプーリにモータの回転力を伝えることが好ましい。
【００１８】
本考案は、両開き仮設ゲートにおいて左右の扉の開閉のために夫々別個にモータを設けていた構造を、１台のモータで左右の扉の開閉ができるようにしたから、設置しない１台分のモータとその電源や制御系などが不要となるため両開き仮設ゲートのコスト低減に資するところ大である。
【図面の簡単な説明】
【００１９】
【図１】本考案両開き仮設ゲートの要部の正面図。
【図２】図１の平面図。
【図３】図１のＡ−Ａ矢視図。
【図４】図１のＢ−Ｂ矢視図。
【図５】従来の両開き仮設ゲートの要部の正面図。
【図６】図５の平面図。
【図７】従来の２モータ式の両開き仮設ゲートの例の正面図
【考案を実施するための形態】
【００２０】
本考案の実施の形態例について図を参照して説明する。
図７は、本考案を適用する従来の２モータ式の両開き仮設ゲートである。図７の仮設ゲートは、ゲートフレームを形成する梁部材としての梁Ｂｅ、この梁Ｂｅを左右の両端部で支持する支柱部ＰＬ，ＰＲ、及び、前記梁Ｂｅに左右方向に開閉自在に吊下支持される折戸式の左右の扉ＷＬ，ＷＲを備えている。図7の仮設ゲートを構成する部材については、図１〜図６においても共通しているので同一符号を用いる。
【００２１】
図７におけるゲートフレームの左右の支柱部ＰＬ，ＰＲに支持された梁Ｂｅでは，図５、図６に示すように、梁Ｂｅが備えるレールＲｅ（又は、走行面Ｒｅ）に走行自在に支持された吊車１０の吊杆１０ａが左右の扉ＷＬ，ＷＲの上辺から上方へ伸びた吊り材１１に連結されており、この吊り材１１に左右の扉ＷＬ，ＷＲが開閉自在（前記レールＲｅに沿って走行自在）に吊下支持されている。なお、図7の左右の扉ＷＬ，ＷＲの下端部側には、図７の例では、下部ローラＲｏを設け、この下部ローラＲｏをガイドする下部レールＵｒが設けられているが、下部ローラＲｏと下部レールＵｒを備えない仮設ゲートもある。
【００２２】
図５〜図７に示した従来の両開き仮設ゲートでは、左右の扉ＷＬと同ＷＲを、夫々のモータの駆動力で開閉する、いわゆる２モータ式の仮設ゲートである。即ち、従来の２モータ式の両開き仮設ゲートでは、図５、図６に示すように、左右の扉ＷＬ，ＷＲを、吊り材１１を介して吊下支持している吊車１０を、梁Ｂｅが備えるレールＲｅに沿って左右で対称的に移動させて前記左右の扉ＷＬ，ＷＲを開閉動作させるため、次の構成が付与されていた。
【００２３】
すなわち、梁Ｂｅのセンターにおいてその左右に関し、左右の扉ＷＬ，ＷＲを、梁ＢｅのレールＲｅに沿って左右対称的に移動させるため、梁ＢｅのレールＲｅの左半側と右半側の夫々に、左右で一対をなす２個のプーリ１２Ｌ、１３Ｌと、もう一対をなす２個のプーリ１２Ｒ、１３Ｒが、索条の一例としてチェーン１４Ｌとチェーン１４Ｒを掛け回して配置されている。掛け回された左側のチェーン１４Ｌと右側のチェーン１４Ｒに、前記左右の扉ＷＬとＷＲにおける夫々の吊り材１１がそれぞれ連結部材１５Ｌ，１５Ｒを介して連結されている。そして、左右の支柱部ＰＬ，ＰＲに近い側に位置するプーリ１２Ｌとプーリ１３Ｒの回転軸に、その回転駆動源となる左、右のモータＭＬ，ＭＲの出力軸が連動するように連結されている。
【００２４】
上述した左右の扉ＷＬ、ＷＲに対応した左側のプーリ１２Ｌ、１３Ｌと右側のプーリ１２Ｒ，１３Ｒ、前記左側と右側のプーリに夫々掛け回されたチェーン１４Ｌとチェーン１４Ｒ、左右の支柱部ＰＬとＰＲの夫々に近い側のプーリ１２Ｌと１３Ｒを駆動プーリとするように配置された左右のモータＭＬ、ＭＲによって、前記左右の扉ＷＬとＷＲを左右対称的に開閉する両開き式の開閉機構が形成されている。なお、図５、図６において、Ｌｓは左右の扉ＷＬとＷＲのオープンエンドとクローズエンドとを夫々に検出して前記モータＭＬとＭＲを停止させるための信号を作るリミットスイッチである。
【００２５】
以上は、公知の２モータ式の両開き仮設ゲートの構成についての説明であるが、本考案は１モータで両開き仮設ゲートを形成するものであるから、図１〜図４によってこの点について説明する。図１〜図４において、図５，図６で説明した部材と同一部材は、図5，図6と同一符号を用いているから、その説明は省略する。
【００２６】
本考案では、プーリ１２Ｌに連結される図1、図2の左側のモータＭＬを１個だけ用い、右側のチェーン１４Ｒを掛け回した一対のプーリ１２Ｒ、１３Ｒには、モータを設けない。
【００２７】
このため、本考案では、梁Ｂｅの中心側に位置する相隣るプーリ１３Ｌと１２Ｒにおいて、これらのプーリ１３Ｌと１２Ｒの夫々の回転軸１３Ｓと１２Ｓに、互いに噛合う同歯数の歯車ＧＬと歯車ＧＲを設け、モータＭＬの駆動力によって回転しているプーリ１３Ｌの回転を歯車ＧＬから同回転数（歯車ＧＬ，ＧＲは歯数が同じ）で歯車ＧＲに伝道し、同軸上のプーリ１２Ｒを前記プーリ１３Ｌの回転方向とは逆方向に回転させて、梁Ｂｅの右半側のチェーン１４Ｒをプーリ１２Ｒと１３Ｒの間で走行させるようにした。
【００２８】
なお、一対のプーリ１２Ｌ，１３Ｌ、同１２Ｒ，１３Ｒに夫々に掛け回されたチェーン１４Ｌ，１４ＲとレールＲｅに支持された吊車１０は、吊車１０の吊杆１０ａに連結ブラケット１１ａを介して連結され、この連結ブラケット１１ａに吊り材１１が結合して吊下支持されている（図３、図４参照）。
【００２９】
チェーン１４Ｒの走行速度は、歯車ＧＬとＧＲの歯数比が１だからチェーン１４Ｌの走行速度と同じであり、また、チェーン１４Ｌの走行方向とは、梁Ｂｅのセンターにおいて左右対称な方向であるから、図５、図６に示す従来仮設ゲートの２つのモータＭＬ，ＭＲで左右の扉ＷＬとＷＲを開閉していた従来の両開き仮設ゲートと同じ両開きの開閉動作を１モータで行わせることができる。
【００３０】
前記プーリ１３Ｌの回転を、等速・逆方向にプーリ１２Ｒに伝動する機構としては、上記例の直接噛合う歯車ＧＬ、ＧＲによる機構のほか、中間に歯数が同じ２つの伝動歯車を入れた歯車列によってプーリ１３Ｌプーリから１２Ｒに回転を伝えてもよい。
【００３１】
本考案は以上の通りであって、両開き仮設ゲートの左右の扉を１個のモータで両方向に開閉できるようにしたから、両開き仮設ゲートのコストを抑えることができ、またモータが１個であるから電源やリミットスイッチ等を含む制御系も１つで済み、保守、管理の上でも有利になる。
【符号の説明】
【００３２】
Ｂｅ梁
ＰＬ，ＰＲ  左右の支柱部
ＷＬ，ＷＲ  左右の扉
Ｒｅレール（走行部）
１０吊車
１０ａ吊材
１１吊り材
１２Ｌ，１３Ｌ一対のプーリ
１２Ｒ、１３Ｒもう一対のプーリ
１４Ｌ，１４Ｒ左右側のチェーン
ＭＬ，ＭＲ左右のモータ
ＧＬ，ＧＲ歯車
【図１】
0003220376.tif 000003
【図２】
0003220376.tif 000004
【図３】
0003220376.tif 000005
【図４】
0003220376.tif 000006
【図５】
0003220376.tif 000007
【図６】
0003220376.tif 000008
【図７】
0003220376.tif 000009